(57)【特許請求の範囲】
【請求項１】
設定された撮影条件に基づいて被検体にＸ線を照射し、該被検体を透過したＸ線を検出して画像を再構成するＸ線ＣＴ装置であって、
被検体に係る属性情報と、被ばく線量の基準となる基準線量とを対応付けた基準線量情報を記憶する基準線量記憶手段と、
撮影条件が設定された場合に、前記基準線量記憶手段により記憶された基準線量情報を参照して、当該撮影条件でＸ線が照射された場合の被ばく線量が撮影対象の被検体の属性情報に対応する基準線量を超えているか否かを判定する線量判定手段と、
設定された撮影条件でＸ線が照射された場合の被ばく線量が表示された線量表示ボタンを表示する線量表示ボタン表示手段と、
前記線量判定手段により前記被ばく線量が前記基準線量を超えていると判定された場合に、前記線量表示ボタン表示手段により表示された線量表示ボタンの表示形態を変える線量表示ボタン変更手段と、
前記線量判定手段により前記被ばく線量が前記基準線量を超えていると判定され、かつ、前記線量表示ボタン表示手段により表示された線量表示ボタンが押下された場合に警告メッセージを出力する線量警告手段と、
を備えたことを特徴とするＸ線ＣＴ装置。
【請求項２】
設定された撮影条件に基づいて被検体にＸ線を照射し、該被検体を透過したＸ線を検出して画像を再構成するＸ線ＣＴ装置であって、
被検体に係る属性情報と、被ばく線量の基準となる基準線量とを対応付けた基準線量情報を記憶する基準線量記憶手段と、
撮影条件が設定される際に、該撮影条件でＸ線が照射された場合の被ばく線量を出力するとともに、前記基準線量記憶手段により記憶された基準線量情報を参照して、当該被ばく線量に対応する属性情報を出力する属性情報出力手段と、
撮影条件が設定された場合に、前記基準線量記憶手段により記憶された基準線量情報を参照して、当該撮影条件でＸ線が照射された場合の被ばく線量が撮影対象の被検体の属性情報に対応する基準線量を超えているか否かを判定する線量判定手段と、
前記線量判定手段により前記被ばく線量が前記基準線量を超えていると判定された場合に警告メッセージを出力する線量警告手段と、
を備えたことを特徴とするＸ線ＣＴ装置。
【請求項３】
前記線量警告手段は、前記警告メッセージを出力した場合に、撮影条件を再設定するか、または、設定されている撮影条件で撮影を続行するかの選択を受け付けることを特徴とする請求項１または２に記載のＸ線ＣＴ装置。
【請求項４】
前記線量警告手段は、前記警告メッセージを出力する際に、前記被ばく線量および前記基準線量をさらに出力することを特徴とする請求項１、２または３に記載のＸ線ＣＴ装置。
【請求項５】
前記線量警告手段は、前記警告メッセージを出力する際に、前記基準線量の大きさに対する前記被ばく線量の大きさを示すグラフをさらに出力することを特徴とする請求項１〜４のいずれか一つに記載のＸ線ＣＴ装置。
【請求項６】
前記線量警告手段は、前記警告メッセージを出力する際に、撮影対象の被検体に照射された被ばく線量に関する履歴情報をさらに出力することを特徴とする請求項１〜５のいずれか一つに記載のＸ線ＣＴ装置。
【請求項７】
前記線量警告手段は、前記警告メッセージを出力する際に、過去の撮影において撮影対象の被検体に照射された被ばく線量の累計をさらに出力することを特徴とする請求項１〜６のいずれか一つに記載のＸ線ＣＴ装置。
【請求項８】
設定された撮影条件に基づいて被検体にＸ線を照射し、該被検体を透過したＸ線を検出して画像を再構成するＸ線ＣＴ装置を用いた撮影の撮影計画を支援する撮影計画支援装置であって、
被検体に係る属性情報と、被ばく線量の基準となる基準線量とを対応付けた基準線量情報を記憶する基準線量記憶手段と、
撮影条件が設定された場合に、前記基準線量記憶手段により記憶された基準線量情報を参照して、当該撮影条件でＸ線が照射された場合の被ばく線量が撮影対象の被検体の属性情報に対応する基準線量を超えているか否かを判定する線量判定手段と、
設定された撮影条件でＸ線が照射された場合の被ばく線量が表示された線量表示ボタンを表示する線量表示ボタン表示手段と、
前記線量判定手段により前記被ばく線量が前記基準線量を超えていると判定された場合に、前記線量表示ボタン表示手段により表示された線量表示ボタンの表示形態を変える線量表示ボタン変更手段と、
前記線量判定手段により前記被ばく線量が前記基準線量を超えていると判定され、かつ、前記線量表示ボタン表示手段により表示された線量表示ボタンが押下された場合に警告メッセージを出力する線量警告手段と、
を備えたことを特徴とする撮影計画支援装置。
【請求項９】
設定された撮影条件に基づいて被検体にＸ線を照射し、該被検体を透過したＸ線を検出して画像を再構成するＸ線ＣＴ装置を用いた撮影の撮影計画を支援する撮影計画支援装置であって、
被検体に係る属性情報と、被ばく線量の基準となる基準線量とを対応付けた基準線量情報を記憶する基準線量記憶手段と、
撮影条件が設定される際に、該撮影条件でＸ線が照射された場合の被ばく線量を出力するとともに、前記基準線量記憶手段により記憶された基準線量情報を参照して、当該被ばく線量に対応する属性情報を出力する属性情報出力手段と、
撮影条件が設定された場合に、前記基準線量記憶手段により記憶された基準線量情報を参照して、当該撮影条件でＸ線が照射された場合の被ばく線量が撮影対象の被検体の属性情報に対応する基準線量を超えているか否かを判定する線量判定手段と、
前記線量判定手段により前記被ばく線量が前記基準線量を超えていると判定された場合に警告メッセージを出力する線量警告手段と、
を備えたことを特徴とする撮影計画支援装置。
【請求項１０】
設定された撮影条件に基づいて被検体にＸ線を照射し、該被検体を透過したＸ線を検出して画像を再構成するＸ線ＣＴ装置を用いた撮影の撮影計画を支援する撮影計画支援プログラムであって、
被検体に係る属性情報と、被ばく線量の基準となる基準線量とを対応付けた基準線量情報を記憶する基準線量記憶手順と、
撮影条件が設定された場合に、前記基準線量記憶手順により記憶された基準線量情報を参照して、当該撮影条件でＸ線が照射された場合の被ばく線量が撮影対象の被検体の属性情報に対応する基準線量を超えているか否かを判定する線量判定手順と、
設定された撮影条件でＸ線が照射された場合の被ばく線量が表示された線量表示ボタンを表示する線量表示ボタン表示手順と、
前記線量判定手順により前記被ばく線量が前記基準線量を超えていると判定された場合に、前記線量表示ボタン表示手順により表示された線量表示ボタンの表示形態を変える線量表示ボタン変更手順と、
前記線量判定手順により前記被ばく線量が前記基準線量を超えていると判定され、かつ、前記線量表示ボタン表示手順により表示された線量表示ボタンが押下された場合に警告メッセージを出力する線量警告手順と、
をコンピュータに実行させることを特徴とする撮影計画支援プログラム。
【請求項１１】
設定された撮影条件に基づいて被検体にＸ線を照射し、該被検体を透過したＸ線を検出して画像を再構成するＸ線ＣＴ装置を用いた撮影の撮影計画を支援する撮影計画支援プログラムであって、
被検体に係る属性情報と、被ばく線量の基準となる基準線量とを対応付けた基準線量情報を記憶する基準線量記憶手順と、
撮影条件が設定される際に、該撮影条件でＸ線が照射された場合の被ばく線量を出力するとともに、前記基準線量記憶手順により記憶された基準線量情報を参照して、当該被ばく線量に対応する属性情報を出力する属性情報出力手順と、
撮影条件が設定された場合に、前記基準線量記憶手順により記憶された基準線量情報を参照して、当該撮影条件でＸ線が照射された場合の被ばく線量が撮影対象の被検体の属性情報に対応する基準線量を超えているか否かを判定する線量判定手順と、
前記線量判定手順により前記被ばく線量が前記基準線量を超えていると判定された場合に警告メッセージを出力する線量警告手順と、
をコンピュータに実行させることを特徴とする撮影計画支援プログラム。
【発明の詳細な説明】
【技術分野】
【０００１】
この発明は、被検体にＸ線を照射し、該被検体を透過したＸ線を検出して画像を再構成するＸ線ＣＴ装置、撮影計画支援装置および撮影計画支援プログラムに関し、特に、被検体の被ばくを抑制するための技術に関する。
【背景技術】
【０００２】
従来、Ｘ線ＣＴ（Computed Tomography）装置では、事前に設定された撮影条件に基づいて被検体にＸ線が照射され、被検体を透過したＸ線を検出して画像を再構成することによって撮影が行われる。通常、Ｘ線ＣＴ装置による撮影では、一回の撮影は部位ごとに複数のエレメントで構成され、各エレメントについて撮影条件が設定される。ここで、「エレメント」とは、単一の撮影条件のもとで行われるスキャン動作の単位である。
【０００３】
撮影条件を設定する場合には、操作者による撮影計画の立案作業を支援するための撮影計画支援装置が用いられるのが一般的である。この撮影計画支援装置には、設定された撮影条件に応じて、当該撮影でＸ線が照射された場合の被ばく線量の大きさが表示されるものがある（たとえば、特許文献１参照。）。被ばく線量の大きさを示す指標値としては、たとえば、ＣＴＤＩ（Computed Tomography Dose Index）やＤＬＰ（Dose Length Product）などが用いられる。
【０００４】
そして、撮影計画支援装置によって表示された被ばく線量の指標値と、ＩＣＲＰ（International Commission on Radiological Protection；国際放射線防護委員会）やＩＥＣ（International Electrotechnical Commission）などにより推奨された最適な照射線量とを比較することによって、Ｘ線ＣＴ装置の操作者（医師や技師など）は、撮影時の被ばく線量が多いか否かを判断することができる。
【０００５】
【特許文献１】特開２００５−１８５５４９号公報
【発明の開示】
【発明が解決しようとする課題】
【０００６】
しかしながら、実際の撮影現場では、操作者によって被ばく線量の確認が行われない場合があり、その場合には、被検体に対して過度のＸ線が照射されてしまうという問題があった。Ｘ線ＣＴ装置による検査において、患者への被ばく抑制はこれまでにも大きな課題として取り上げられてきている。しかし、上述したように、撮影時の被ばく線量は操作者による判断にゆだねられている場合が多い。そのため、現状では、いかにして被ばくに対する操作者の意識を高めることができるかが極めて重要な課題となっている。
【０００７】
さらに今後は、面検出器の登場によって同一部位を複数回撮影することが増えると予想されるため、撮影時の被ばくに対する意識は今以上に重要となる。特に、小児など放射線に対して感受性が高い患者を撮影する場合には、十分な注意が必要である。
【０００８】
この発明は、上述した従来技術による問題点を解消するためになされたものであり、撮影時の被ばくに対する操作者の意識を高めることができるＸ線ＣＴ装置、撮影計画支援装置および撮影計画支援プログラムを提供することを目的とする。
【課題を解決するための手段】
【０００９】
上述した課題を解決し、目的を達成するため、本発明は、設定された撮影条件に基づいて被検体にＸ線を照射し、該被検体を透過したＸ線を検出して画像を再構成するＸ線ＣＴ装置であって、被検体に係る属性情報と、被ばく線量の基準となる基準線量とを対応付けた基準線量情報を記憶する基準線量記憶手段と、撮影条件が設定された場合に、前記基準線量記憶手段により記憶された基準線量情報を参照して、当該撮影条件でＸ線が照射された場合の被ばく線量が撮影対象の被検体の属性情報に対応する基準線量を超えているか否かを判定する線量判定手段と、前記線量判定手段により前記被ばく線量が前記基準線量を超えていると判定された場合に警告メッセージを出力する線量警告手段と、を備えたことを特徴とする。
【００１０】
また、本発明は、設定された撮影条件に基づいて被検体にＸ線を照射し、該被検体を透過したＸ線を検出して画像を再構成するＸ線ＣＴ装置を用いた撮影の撮影計画を支援する撮影計画支援装置であって、被検体に係る属性情報と、被ばく線量の基準となる基準線量とを対応付けた基準線量情報を記憶する基準線量記憶手段と、撮影条件が設定された場合に、前記基準線量記憶手段に記憶された基準線量情報を参照して、当該撮影条件でＸ線が照射された場合の被ばく線量が撮影対象の被検体の属性情報に対応する基準線量を超えているか否かを判定する線量判定手段と、前記線量判定手段により前記被ばく線量が前記基準線量を超えていると判定された場合に警告メッセージを出力する線量警告手段と、を備えたことを特徴とする。
【００１１】
また、本発明は、設定された撮影条件に基づいて被検体にＸ線を照射し、該被検体を透過したＸ線を検出して画像を再構成するＸ線ＣＴ装置を用いた撮影の撮影計画を支援する撮影計画支援プログラムであって、被検体に係る属性情報と、被ばく線量の基準となる基準線量とを対応付けた基準線量情報を記憶する基準線量記憶手順と、撮影条件が設定された場合に、前記基準線量記憶手順に記憶された基準線量情報を参照して、当該撮影条件でＸ線が照射された場合の被ばく線量が撮影対象の被検体の属性情報に対応する基準線量を超えているか否かを判定する線量判定手順と、前記線量判定手順により前記被ばく線量が前記基準線量を超えていると判定された場合に警告メッセージを出力する線量警告手順と、をコンピュータに実行させることを特徴とする。
【発明の効果】
【００１２】
本発明によれば、撮影時の被ばくに対する操作者の意識を高めることができるという効果を奏する。 
【発明を実施するための最良の形態】
【００１３】
以下に添付図面を参照して、この発明に係るＸ線ＣＴ装置、撮影計画支援装置および撮影計画支援プログラムの好適な実施例を詳細に説明する。なお、以下では、被ばく線量の基準線量を「リファレンス線量」と呼び、警告メッセージを「ワーニングメッセージ」と呼ぶ。
【実施例１】
【００１４】
まず、本実施例１に係るＸ線ＣＴ装置の構成について説明する。図１は、本実施例１に係るＸ線ＣＴ装置の構成を示す機能ブロック図である。同図に示すように、このＸ線ＣＴ装置は、ガントリ１００と、高電圧発生装置１１０と、前処理装置１２０と、再構成装置１３０と、記憶装置１４０と、システムコントローラ１５０と、入力装置１６０と、表示装置１７０と、撮影計画支援装置２００とを備える。
【００１５】
ガントリ１００は、被検体にＸ線を照射し、被検体を透過したＸ線を検出して生データを生成する装置であり、Ｘ線管１０１と、スリップリング１０２と、Ｘ線検出器１０３と、フレーム１０４と、回転部１０５と、データ収集回路（ＤＡＳ；Data Acquisition System）１０６と、非接触データ伝送装置１０７とを有する。
【００１６】
Ｘ線管１０１は、スリップリング１０２を経由して高電圧発生装置１１０から供給される管電圧および管電流により、被検体に対して照射するためのＸ線を発生する装置である。Ｘ線検出器１０３は、Ｘ線管１０１から発生して被検体を透過したＸ線を検出する装置である。これらＸ線管１０１およびＸ線検出器１０３は、被検体を挟んで互いに対向するように、円環状のフレーム１０４に搭載されている。
【００１７】
フレーム１０４は、回転軸ＲＡを中心として回転可能に支持された構造物であり、回転部１０５の駆動によって、たとえば０．４秒／回転の速度で高速に回転される。データ収集回路１０６は、Ｘ線検出器１０３によって検出されたＸ線の信号を電圧信号に変換し、増幅し、さらにデジタル信号のデータ（生データ）に変換する回路である。非接触データ伝送装置１０７は、データ収集回路１０６から出力される生データを前処理装置１２０に送信する装置である。
【００１８】
高電圧発生装置１１０は、ガントリ１００のＸ線管１０１に管電圧および管電流を供給してＸ線を発生させる装置である。前処理装置１２０は、非接触データ伝送装置１０７から送信される生データに対して感度補正などの補正処理を行うことによって、画像再構成のもとになる投影データを生成する装置である。
【００１９】
再構成装置１３０は、前処理装置１２０によって生成された投影データに対して所定の再構成処理を行うことによって、被検体の画像データを再構成する装置である。記憶装置１４０は、前処理装置１２０によって生成された投影データや、再構成装置１３０によって再構成された画像データを記憶する装置である。システムコントローラ１５０は、Ｘ線ＣＴ装置全体の動作を制御する制御装置である。
【００２０】
入力装置１６０は、キーボートやマウス等の入力装置であり、操作者がＸ線ＣＴ装置に対して各種の指示を入力する際に用いられる。表示装置１７０は、液晶パネルやディスプレイ等の表示装置であり、再構成装置１３０によって再構成された画像や、後述する撮影計画支援装置２００によって制御される撮影計画設定画面などを出力する。
【００２１】
撮影計画支援装置２００は、操作者による撮影計画の立案作業を支援するための装置であり、撮影計画情報記憶部２０１と、撮影計画実行処理部２０２と、リファレンス線量記憶部２０３と、撮影計画設定画面制御部２０４と、ワーニングメッセージ出力処理部２０５とを有する。
【００２２】
撮影計画情報記憶部２０１は、操作者によって立案された撮影計画に含まれるエレメントごとの撮影条件を記憶する記憶部である。撮影計画実行処理部２０２は、撮影計画情報記憶部２０１により記憶されたエレメントごとの撮影条件に基づいてガントリ１００のシステムコントローラ１５０を制御することによって、操作者により立案された撮影計画にしたがって撮影を実行する処理部である。
【００２３】
リファレンス線量記憶部２０３は、被検体に係る属性情報と、被ばく線量の基準となるリファレンス線量とを対応付けたリファレンス線量情報を記憶する記憶部である。具体的には、このリファレンス線量記憶部２０３は、体重、身長および年齢と、ＣＴＤＩｖｏｌおよびＤＬＰで表されるリファレンス線量とを部位ごとに対応付けた情報を、リファレンス線量情報として記憶する。
【００２４】
図２は、リファレンス線量記憶部２０３により記憶されるリファレンス線量情報の一例を示す図である。同図は、頭頚部に関するリファレンス線量情報の一例を示している。たとえば、リファレンス線量記憶部２０３は、同図に示すように、体重が９．３６ｋｇ以下、身長が７５ｃｍ以下、年齢が１歳以下である場合には、リファレンス量をＣＴＤＩｖｏｌで４０、ＤＬＰで３００とした情報や、体重が９．３６ｋｇを超え、かつ１９．１ｋｇ以下、身長が７５ｃｍを超え、かつ１０９ｃｍ以下、年齢が１歳を超え、かつ５歳以下である場合には、リファレンス線量をＣＴＤＩｖｏｌで６０、ＤＬＰで６００とした情報などを、リファレンス線量情報として記憶する。
【００２５】
ここで、リファレンス線量記憶部２０３は、たとえば、ＩＣＲＰやＩＥＣ、他の主だった学会などにより推奨された被ばく線量の基準値を、あらかじめリファレンス情報として記憶しておく。なお、ここでは、リファレンス線量を表す指標値としてＣＴＤＩｖｏｌおよびＤＬＰを用いた場合を例示しているが、たとえば、ＣＴＤＩｗ（Weighted CTDI）やｍＳｖ（ミリシーベルト）など、他の指標値が用いられてもよい。
【００２６】
図１にもどって、撮影計画設定画面制御部２０４は、操作者から撮影計画および撮影条件の設定などを受け付けるための撮影計画設定画面を表示装置１７０に表示するとともに、当該撮影計画設定画面の表示に関する各種制御を行う処理部である。
【００２７】
この撮影計画設定画面制御部２０４は、操作者からの要求に応じて、撮影計画設定画面を表示装置１７０に表示する。図３は、撮影計画設定画面制御部２０４により表示される撮影計画設定画面の一例を示す図である。たとえば、撮影計画設定画面制御部２０４は、同図に示すように、患者情報、ユーティリティ情報、Ｘ線管球の熱量限界、スキャノグラムなどの基本情報や、スキャンシーケンスエリア３１０などが配置された撮影計画設定画面３００を表示する。
【００２８】
ここで、スキャンシーケンスエリア３１０は、撮影対象となる部位について撮影条件を設定するための領域である。たとえば、スキャンシーケンスエリア３１０は、同図に示すようにテーブル形式で構成され、ひとつの部位に対して複数のエレメント（たとえば、同図に示すエレメント＃１〜＃５）が入力可能となっており、さらにそれぞれのエレメントについて、以下の項目などが撮影条件として入力可能となっている。
・スキャンエレメント番号（同図に示す「Ｎｏ．」）
・スタート種別（同図に示す「Ｓｔａｒｔ」）
・スキャン開始のトリガ捜査がなされてからの各エレメントの経過時間に相当する開始時間（同図に示す「Ｓｔａｒｔ  Ｔｉｍｅ」）
・直前のエレメントの終了から当該エレメントの開始までのインターバル（休止時間）としての待ち時間（同図に示す「Ｗａｉｔ」）
・スキャン開始位置（同図に示す「Ｓｔａｒｔ  Ｐｏｓ．」）
・スキャン終了位置（同図に示す「Ｅｎｄ  Ｐｏｓ．」）
・スキャンの種類を示すスキャンモード（同図に示す「Ｓｃａｎ  Ｍｏｄｅ」）
・エレメント内のスキャン回数（同図に示す「＃ｏｆ  Ｓｃａｎｓ」；スキャノモード、ダイナミックモードおよびヘリカルモードでは「１」や「Ｃ１」などが設定され、Ｓ＆Ｓモードでは「Ｉ５」などが設定される。ここで、「１」や「Ｃ１」などは、エレメント期間中、継続的にＸ線を発生することを表し、「Ｉ５」は、一定のインターバルを隔ててＸ線パルスを５回発生することを表している。）
・管電圧（同図に示す「ｋＶ」）
・管電流（同図に示す「ｍＡ」）
・再構成視野の直径（同図に示す「Ｄ−ＦＯＶ」）
・Ｘ線管が１回転するのに要するスキャン時間（同図に示す「Ｒｏｔ  Ｔｉｍｅ」；回転時間とも呼ばれる）
・スキャン総時間（同図に示す「Ｔｏｔａｌ  Ｓｃａｎ  Ｔｉｍｅ」；スキャノモード、ダイナミックモードおよびヘリカルモードでは単純にＸ線を発生する時間幅で与えられる。Ｓ＆Ｓモードでは、回転時間にスキャン回数を乗じた時間に、休止時間に休止回数を乗じた時間を加えた合計時間で与えられる。）
・撮影スライス厚（同図に示す「Ｔｈｉｃｋｎｅｓｓ」）
【００２９】
そして、かかる撮影計画設定画面３００のスキャンシーケンスエリア３１０に撮影条件が入力され、さらに、所定の操作（たとえば、図３に示した撮影計画設定画面３００でＣｏｎｆｉｒｍボタンが押下されるなどの操作）により操作者から撮影の実行指示を受け付けた場合には、撮影計画設定画面制御部２０４は、入力された撮影条件でＸ線が照射された場合の被ばく線量の指標値を算出する。具体的には、撮影計画設定画面制御部２０４は、被ばく線量の指標値として、撮影対象となる部位のＣＴＤＩｖｏｌおよびＤＬＰ（エレメントごとに設定された撮影条件に基づいて算出したＣＴＤＩｖｏｌおよびＤＬＰの合計）と、他の部位も含めた今回の撮影におけるＤＬＰの合計とを算出する。
【００３０】
この一方で、撮影計画設定画面制御部２０４は、リファレンス線量記憶部２０３に記憶されたリファレンス線量情報を参照して、撮影対象の被検体の属性情報（体重、身長および年齢）に対応するリファレンス線量の指標値を取得する。具体的には、撮影計画設定画面制御部２０４は、リファレンス線量の指標値として、撮影対象である部位のＣＴＤＩｖｏｌおよびＤＬＰを取得し、さらに、今回の撮影で対象となっているすべての部位のＤＬＰを取得し、取得したＤＬＰの合計を算出する。
【００３１】
そして、被ばく線量およびリファレンス線量をそれぞれ算出すると、撮影計画設定画面制御部２０４は、算出した被ばく線量のＣＴＤＩｖｏｌ、ＤＬＰ、およびＤＬＰの合計と、取得したリファレンス線量のＣＴＤＩｖｏｌ、ＤＬＰ、およびＤＬＰの合計とをそれぞれ比較する。
【００３２】
ここで、いずれの指標値についても被ばく線量がリファレンス線量を超えていなかった場合には、撮影計画設定画面制御部２０４は、スキャンシーケンスエリア３１０に入力された撮影条件を撮影計画情報記憶部２０１に保存するとともに、撮影計画実行処理部２０２に対して撮影を実行するよう指示する。
【００３３】
一方、少なくともひとつの指標値について被ばく線量がリファレンス線量を超えていた場合には、撮影計画設定画面制御部２０４は、後述するワーニングメッセージ出力処理部２０５に対してワーニングメッセージを出力するよう指示する。ワーニングメッセージを出力するよう指示した場合には、撮影計画設定画面制御部２０４は、その後、ワーニングメッセージ出力処理部２０５から撮影を実行するよう指示されると、スキャンシーケンスエリア３１０に入力された撮影条件を撮影計画情報記憶部２０１に保存するとともに、撮影計画実行処理部２０２に対して撮影を実行するよう指示する。
【００３４】
図１にもどって、ワーニングメッセージ出力処理部２０５は、撮影計画設定画面制御部２０４からの指示に基づいて、ワーニングメッセージを出力する処理部である。具体的には、ワーニングメッセージ出力処理部２０５は、撮影計画設定画面制御部２０４からワーニングメッセージを出力するよう指示されると、撮影計画設定画面制御部２０４により算出された被ばく線量（設定されている撮影条件でＸ線が照射された場合の被ばく線量）と、撮影計画設定画面制御部２０４により取得されたリファレンス線量（撮影対象の被検体の属性情報に対応するリファレンス線量）とを示すワーニングメッセージを撮影計画設定画面３００上に出力する。
【００３５】
図４は、本実施例１に係るワーニングメッセージ出力処理部２０５により出力されるワーニングメッセージの一例を示す図である。たとえば、ワーニングメッセージ出力処理部２０５は、同図に示すように、設定されている撮影条件で撮影を行うか否かを確認する文言とともに、リファレンス線量の大きさに対する被ばく線量の大きさを示す棒グラフ４１１、４１２および４１３と、被ばく線量の指標値４２１、４２２および４２３と、撮影条件見直しボタン４３１と、アクセプトボタン４３２とを含んだワーニングメッセージ４００を出力する。
【００３６】
ここで、棒グラフ４１１は、被ばく線量のＣＴＤＩｖｏｌを示す棒グラフであり、棒グラフ４１２は、被ばく線量のＤＬＰを示す棒グラフであり、棒グラフ４１３は、今回の撮影におけるＤＬＰの合計（Ｔｏｔａｌ  ＤＬＰ）を示す棒グラフである。また、指標値４２１は、被ばく線量のＣＴＤＩｖｏｌの値であり、指標値４２２は、被ばく線量のＤＬＰの値であり、指標値４２３は、今回の撮影におけるＤＬＰの合計値である。
【００３７】
このように、ワーニングメッセージ出力処理部２０５が、ワーニングメッセージ４００を出力する際に、リファレンス線量の大きさに対する被ばく線量の大きさを示す棒グラフ４１１、４１２および４１３をあわせて出力することによって、操作者に対して、リファレンス線量に対して被ばく線量がどの程度超えているかを明示的に示すことが可能になる。
【００３８】
また、ワーニングメッセージ出力処理部２０５は、撮影計画情報記憶部２０１に記憶されている撮影条件を参照して、同じ被険体の前回の撮影における被ばく線量のＤＬＰの合計を算出し、算出したＤＬＰの合計を示す棒グラフ４１３ａを、今回の撮影におけるＤＬＰの合計を示す棒グラフ４１３に重ねて出力する。この時、ワーニングメッセージ出力処理部２０５は、ワーニングメッセージ出力処理部２０５は、棒グラフ４１３および４１３ａをそれぞれ異なる色にして出力する。
【００３９】
ここで、ワーニングメッセージ出力処理部２０５が、前回の撮影におけるＤＬＰの合計を示す棒グラフ４１３ａも出力することによって、操作者に対して、前回の撮影における被ばく量を加味したうえで、今回の撮影における被ばく量を考慮させることが可能になる。
【００４０】
ワーニングメッセージ４００の説明にもどって、撮影条件見直しボタン４３１およびアクセプトボタン４３２は、撮影条件を再設定するか、または、設定されている撮影条件で撮影を続行するかの選択を操作者から受け付けるためのボタンである。
【００４１】
そして、ワーニングメッセージ出力処理部２０５は、操作者によって撮影条件見直しボタン４３１が押下された場合には、ワーニングメッセージ４００の表示を中止し、撮影計画設定画面３００から撮影条件を入力（再入力）できる状態に戻す。一方、アクセプトボタン４３２が押下された場合には、ワーニングメッセージ出力処理部２０５は、撮影計画設定画面制御部２０４に対して撮影を実行するよう指示する。
【００４２】
ここで、ワーニングメッセージ出力処理部２０５が、ワーニングメッセージを出力した場合に、撮影条件見直しボタン４３１およびアクセプトボタン４３２を用いて、撮影条件を再設定するか、または、設定されている撮影条件で撮影を続行するかの選択を受け付けるので、操作者に対して、ワーニングメッセージ出力処理部２０５の内容を確認したうえで撮影を実行するか否かを判断させることが可能になる。
【００４３】
なお、ワーニングメッセージ出力処理部２０５により出力されるワーニングメッセージ４００は、ここで説明したものに限られるわけではない。たとえば、ここでは、被ばく線量を表すグラフとして棒グラフを用いた場合について説明したが、リファレンス量に対する被ばく線量の大きさが直感的に分かるのであれば、他の種類のグラフを用いてもよい。
【００４４】
また、たとえば、ここでは、ＤＬＰの合計について、今回の撮影におけるＤＬＰの棒グラフ４１３と、前回の撮影におけるＤＬＰの棒グラフ４１３ａとをそれぞれ異なる色で出力することとしたが、視覚的にそれぞれの棒グラフを区別できるのであれば、異なる模様で出力するなど、他の方法で表示を変えて出力するようにしてもよい。
【００４５】
また、ここでは、今回の撮影におけるＤＬＰの棒グラフ４１３の上に、前回の撮影におけるＤＬＰの棒グラフ４１３ａを重ねて出力することとしたが、たとえば、それぞれの棒グラフを上下に並べて出力するようにしてもよい。
【００４６】
次に、本実施例に係るＸ線ＣＴ装置の処理手順について説明する。図５は、本実施例１に係るＸ線ＣＴ装置の処理手順を示すフローチャートである。同図に示すように、このＸ線ＣＴ装置では、撮影計画設定画面制御部２０４が、撮影計画設定画面３００を介して操作者から撮影条件の入力を受け付け（ステップＳ１０１）、さらに、撮影の実行指示を受け付けると（ステップＳ１０２，Ｙｅｓ）、入力された撮影条件に基づいて被ばく線量を算出する（ステップＳ１０３）。
【００４７】
ここで、撮影計画設定画面制御部２０４は、算出した被ばく線量が撮影対象の被検体の属性情報に対応するリファレンス線量を超えていなかった場合には（ステップＳ１０４，Ｎｏ）、撮影計画実行処理部２０２に対して撮影を実行するよう指示し、これに応じて、撮影計画実行処理部２０２が撮影を実行する（ステップＳ１０５）。
【００４８】
一方、被ばく線量がリファレンス線量を超えていた場合には（ステップＳ１０４，Ｙｅｓ）、撮影計画設定画面制御部２０４は、ワーニングメッセージ出力処理部２０５に対してワーニングメッセージを出力するよう指示し、これに応じて、ワーニングメッセージ出力処理部２０５が、撮影計画設定画面３００上にワーニングメッセージ４００を出力する（ステップＳ１０６）。
【００４９】
その後、操作者によって撮影条件見直しボタン４３１が押下された場合には（ステップＳ１０７，Ｙｅｓ）、ワーニングメッセージ出力処理部２０５が、ワーニングメッセージ４００の表示を中止する（ステップＳ１０８）。これにより、撮影計画支援装置２００は、撮影計画設定画面３００から撮影条件を入力（再入力）できる状態に戻る。
【００５０】
一方、アクセプトボタン４３２が押下された場合には（ステップＳ１０９，Ｙｅｓ）、ワーニングメッセージ出力処理部２０５は、撮影計画設定画面制御部２０４に対して撮影を実行するよう指示する。そして、撮影計画設定画面制御部２０４が撮影計画実行処理部２０２に対して撮影を実行するよう指示し、これに応じて、撮影計画実行処理部２０２が撮影を実行する（ステップＳ１０５）。
【００５１】
上述してきたように、本実施例１では、リファレンス線量記憶部２０３が、被検体に係る属性情報と、被ばく線量の基準となるリファレンス線量とを対応付けたリファレンス線量情報を記憶する。また、撮影計画設定画面制御部２０４が、操作者によって撮影条件が設定された場合に、リファレンス線量記憶部２０３により記憶されたリファレンス線量情報を参照して、当該撮影条件でＸ線が照射された場合の被ばく線量が撮影対象の被検体の属性情報に対応するリファレンス線量を超えているか否かを判定する。そして、ワーニングメッセージ出力処理部２０５が、撮影計画設定画面制御部２０４により被ばく線量がリファレンス線量を超えていると判定された場合に警告メッセージを出力する。これにより、本実施例１に係るＸ線ＣＴ装置では、撮影時の被ばくに対する操作者の意識を高めることができる。
【実施例２】
【００５２】
ところで、上記実施例１では、操作者から撮影の実行指示を受け付けた場合に、設定されている撮影条件での撮影による被ばく線量をチェックして、ワーニングメッセージを出力する場合について説明したが、たとえば、撮影条件の設定中に、所定のユーザーインターフェースを用いて、被ばく線量がリファレンス線量を超えているか否かを操作者に通知できるようにしてもよい。
【００５３】
そこで、以下では実施例２として、設定されている撮影条件でＸ線が照射された場合の被ばく線量を表示するとともに、表示色を変えることによって、被ばく線量がリファレンス線量を超えたことを通知する線量表示ボタンを撮影計画設定画面３００に追加した場合について説明する。なお、本実施例２に係るＸ線ＣＴ装置の構成は、基本的には図１で説明した構成と同じであり、撮影計画支援装置が有する撮影計画設定画面制御部２０４およびワーニングメッセージ出力処理部２０５の機能が異なるのみであるので、ここでは、これら２つの処理部について説明する。
【００５４】
撮影計画設定画面制御部２０４は、本実施例２では、画面上の所定の位置に線量表示ボタンを配置したうえで撮影計画設定画面３００を出力する。図６は、撮影計画設定画面３００に配置される線量表示ボタンの一例を示す図である。たとえば、撮影計画設定画面制御部２０４は、同図に示すように、撮影計画設定画面３００の下部に、ＣＴＤＩｖｏｌ（表示上は単に「ＣＴＤＩ」としている）およびＤＬＰを表示した線量表示ボタン３２０を配置する。これらＣＴＤＩｖｏｌおよびＤＬＰは、それぞれ、スキャンシーケンスエリア３１０に入力された撮影条件に基づいてＸ線が照射された場合の被ばく線量を表している。
【００５５】
そして、撮影計画設定画面制御部２０４は、スキャンシーケンスエリア３１０にエレメントごとに撮影条件が入力されるたびに、それまでに入力されているエレメントの撮影条件でＸ線が照射された場合の被ばく線量の指標値を算出し、算出した被ばく線量を線量表示ボタン３２０に表示する。具体的には、撮影計画設定画面制御部２０４は、被ばく線量の指標値として、撮影対象となる部位のＣＴＤＩｖｏｌおよびＤＬＰ（エレメントごとに設定された撮影条件に基づいて算出したＣＴＤＩｖｏｌおよびＤＬＰの合計）と、他の部位も含めた今回の撮影におけるＤＬＰの合計とを算出し、算出した当該部位のＣＴＤＩｖｏｌおよびＤＬＰを線量表示ボタン３２０に表示する。
【００５６】
このように、撮影計画設定画面制御部２０４が、入力された撮影条件に基づいて被ばく線量を算出し、算出した被ばく線量を線量表示ボタン３２０に表示することによって、操作者に対して、撮影条件の設定中に随時、被検体の被ばく線量を通知することが可能になる。
【００５７】
被ばく線量を算出するとともに、撮影計画設定画面制御部２０４は、リファレンス線量記憶部２０３に記憶されたリファレンス線量情報を参照して、撮影対象の被検体の属性情報（体重、身長および年齢）に対応するリファレンス線量の指標値を取得する。具体的には、撮影計画設定画面制御部２０４は、リファレンス線量の指標値として、部位ごとのＣＴＤＩｖｏｌおよびＤＬＰを取得し、さらに、今回の撮影で対象となっているすべての部位のＤＬＰを取得し、取得したＤＬＰの合計を算出する。
【００５８】
そして、被ばく線量およびリファレンス線量をそれぞれ算出すると、撮影計画設定画面制御部２０４は、算出した被ばく線量のＣＴＤＩｖｏｌ、ＤＬＰ、およびＤＬＰの合計と、取得したリファレンス線量のＣＴＤＩｖｏｌ、ＤＬＰ、およびＤＬＰの合計とをそれぞれ比較する。
【００５９】
ここで、被ばく線量がリファレンス線量を超えていなかった場合には、撮影計画設定画面制御部２０４は、表示色を青色にして線量表示ボタン３２０を表示する。一方、被ばく線量がリファレンス線量を超えていた場合には、撮影計画設定画面制御部２０４は、線量表示ボタン３２０の表示色を青色から赤色に変更する。
【００６０】
こうして、線量表示ボタン３２０の表示色を制御するとともに、撮影計画設定画面制御部２０４は、操作者によって線量表示ボタン３２０が押下された場合には、ワーニングメッセージ出力処理部２０５に対してワーニングメッセージを出力するよう指示する。撮影計画設定画面制御部２０４は、線量表示ボタン３２０の押下を随時、操作者から受け付ける。
【００６１】
ワーニングメッセージ出力処理部２０５は、本実施例２では、撮影計画設定画面制御部２０４からワーニングメッセージを出力するよう指示されると、撮影計画設定画面制御部２０４により算出された被ばく線量（設定されている撮影条件でＸ線が照射された場合の被ばく線量）と、撮影計画設定画面制御部２０４により取得されたリファレンス線量（撮影対象の被検体の属性情報に対応するリファレンス線量）とを示すワーニングメッセージを撮影計画設定画面３００上に出力する。
【００６２】
図７は、本実施例２に係るワーニングメッセージ出力処理部２０５により表示されるワーニングメッセージの一例を示す図である。たとえば、ワーニングメッセージ出力処理部２０５は、同図に示すように、撮影対象の部位と、その部位のリファレンス線量５４１および５４２と、ファントムでの線量５５１および５５２と、リファレンス線量の大きさに対する被ばく線量の大きさを示す棒グラフ５１１、５１２および５１３と、被ばく線量の指標値５２１、５２２および５２３と、撮影履歴情報５６０と、Ｑｕｉｔボタン５７０とを含んだワーニングメッセージ５００を出力する。
【００６３】
ここで、リファレンス線量５４１は、撮影計画設定画面制御部２０４により算出されたリファレンス線量のＣＴＤＩｖｏｌの値であり、リファレンス線量５４２は、撮影計画設定画面制御部２０４により算出されたリファレンス線量のＤＬＰの値である。また、ファントムでの線量５５１は、１６ｃｍのファントムで計測された線量に基づいて各線量が表示されていることを示すグラフィックであり、ファントムでの線量５５２は、３２ｃｍのファントムで計測された線量に基づいて各線量が表示されていることを示すグラフィックである。
【００６４】
棒グラフ５１１は、被ばく線量のＣＴＤＩｖｏｌを示す棒グラフであり、棒グラフ５１２は、被ばく線量のＤＬＰを示す棒グラフであり、棒グラフ５１３は、今回の撮影におけるＤＬＰの合計（Ｔｏｔａｌ  ＤＬＰ）を示す棒グラフであり、棒グラフ５１３ａは、同じ被険体の前回の撮影における被ばく線量のＤＬＰの合計を示す棒グラフである。また、指標値５２１は、被ばく線量のＣＴＤＩｖｏｌの値であり、指標値５２２は、被ばく線量のＤＬＰの値であり、指標値５２３は、今回の撮影におけるＤＬＰの合計値である。
【００６５】
撮影履歴情報５６０は、今回の撮影においてすでに撮影が行われた部位ごとに、撮影時の被ばく線量の履歴情報である。ワーニングメッセージ出力処理部２０５が、ワーニングメッセージ５００を出力する際に、この撮影履歴情報５６０をあわせて出力することによって、操作者に対して、被検体の過去の被ばく線量を考慮したうえで今回の撮影条件を設定させることが可能になる。
【００６６】
ワーニングメッセージ出力処理部２０５は、撮影計画設定画面制御部２０４からワーニングメッセージを出力するよう指示されるたびに、すなわち、操作者によって線量表示ボタン３２０が押下されるたびに、上記で説明したワーニングメッセージ５００を撮影計画設定画面３００上に表示する。
【００６７】
図８は、被ばく線量がリファレンス線量を超えている場合のワーニングメッセージ５００の一例を示す図である。同図に示すように、たとえば、設定された撮影条件による被ばく線量のＤＬＰがリファレンス線量を超えていた場合には、線量表示ボタン３２０の色が変更され、その時点で表示されたワーニングメッセージ５００では、棒グラフ５１２によって、被ばく線量のＤＬＰがリファレンス線量を超えていることが示される。なお、この例では、ＣＴＤＩｖｏｌ、ＤＬＰ、ＤＬＰの合計（Ｔｏｔａｌ  ＤＬＰ）の棒グラフに対して、それぞれのリファレンス線量の位置を示すリファレンス線量ラベル５８０を画面上に出力している。
【００６８】
このように、ワーニングメッセージ出力処理部２０５が、設定条件の設定中に線量表示ボタン３２０の表示を変更したり、ワーニングメッセージ５００において、リファレンス線量に対する被ばく線量の大きさを示す棒グラフを表示したりすることによって、操作者に対して、被ばく線量が基準となる値を超えていることを視覚的に明示することが可能になる。
【００６９】
また、ワーニングメッセージ出力処理部２０５が、操作者によって線量表示ボタン３２０が押下された場合に、ワーニングメッセージ５００を出力するので、撮影者に対して、撮影条件の設定中にいつでもリファレンス線量に対する被ばく線量の大きさを確認する機会を与えることができる。
【００７０】
なお、ここでは、撮影履歴情報５６０として、今回の撮影における被ばく線量の履歴情報を表示する場合について説明したが、たとえば、撮影対象の被検体が過去に受けたすべての撮影における被ばく線量の履歴を表示するようにしてもよい。この場合、撮影計画情報記憶部２０１に記憶されている過去の撮影における撮影条件に基づいて被ばく線量を算出してもよいし、または、被検体ごとに配布された記憶装置（たとえば、ＵＳＢメモリなど）に撮影のたびに撮影条件を記録するようにし、撮影時には、その記憶装置から過去の撮影における撮影条件を読み出して、被ばく線量を算出するようにしてもよい。そして、さらに、撮影対象の被検体が過去の撮影において被ばくした被ばく線量の累計値を出力するようにしてもよい。
【００７１】
これにより、操作者に対して、過去に被検体に蓄積された被ばくの量を認識させながら、今回の撮影における撮影条件を設定させることが可能になる。
【００７２】
上述してきたように、本実施例２では、撮影計画設定画面制御部２０４が、設定された撮影条件でＸ線が照射された場合の被ばく線量が表示された線量表示ボタン３２０を表示し、被ばく線量がリファレンス線量を超えていると判定された場合に、線量表示ボタン３２０の表示色を赤色から青色に変更するので、撮影条件の設定中、被ばく線量がリファレンス線量を越えた時点で、操作者に対して警告を行うことが可能になる。
【００７３】
なお、ここでは、線量表示ボタン３２０の表示色を赤色から青色に変更することによって、被ばく線量が基準となる値を超えたことを通知する場合について説明したが、操作者への通知方法はこれに限られるわけではない。たとえば、赤色でない他の色から青色で内他の色に変更することによって通知するようにしてもよいし、線量表示ボタン３２０を非点滅表示から点滅表示に変更するなど、表示形態を変更することによって通知するようにしてもよい。
【実施例３】
【００７４】
ところで、Ｘ線ＣＴ装置で用いられる撮影計画支援装置のなかには、被検体の属性情報（性別や年齢、体格）、検査目的、検査部位などに応じて、あらかじめ登録された撮影計画から最適な撮影計画を選択して、操作者に提供する機能を備えたものもある。ここで、あらかじめ登録される撮影計画は「エキスパートプラン」と呼ばれ、Ｘ線ＣＴ装置を用いた撮影に関する高度な専門知識を有する有識者などによって作成される。
【００７５】
かかるエキスパートプランの作成において、リファレンス線量記憶部２０３により記憶されているリファレンス線量情報を参照すれば、エキスパートプラン作成時に有識者によって撮影条件が入力された際に、当該撮影条件でＸ線が照射された場合の被ばく線量が、どのような属性情報の被検体に適するものであるかを参考情報として提供するようにすることができるようになる。
【００７６】
そこで、以下では実施例３として、エキスパートプランの作成時に、リファレンス線量記憶部２０３により記憶されているリファレンス線量情報に基づいて、入力された撮影条件による被ばく線量に適した属性情報を参考情報として出力する場合について説明する。
【００７７】
本実施例３では、撮影計画支援装置２００は、エキスパートプラン作成時に操作者（前述した有識者）によって撮影条件が入力されると、入力された撮影条件に基づいて被ばく線量の指標値を算出し、算出した指標値を表示したガイド画面を表示装置１７０に出力する。この時、撮影計画支援装置２００は、算出した被ばく線量の指標値がどのような属性情報の被検体に適するものであるかがわかるようにガイド画面を出力する。
【００７８】
図９は、エキスパートプラン作成時に表示されるガイド画面の一例を示す図である。たとえば、本実施例３に係る撮影計画支援装置２００は、被ばく線量の指標値としてＣＴＤＩｖｏｌおよびＤＬＰを算出し、同図（ａ）に示すように、算出したＣＴＤＩｖｏｌの大きさを示す線量メーター６１１およびＤＬＰの大きさを示す線量メーター６１２と、ＣＴＤＩｖｏｌの値およびＤＬＰの値を表示したガイド画面６００を出力する。
【００７９】
ここで、同図（ａ）に示す例では、撮影計画支援装置２００は、リファレンス線量記憶部２０３により記憶されているリファレンス線量情報に基づいて、リファレンス線量の変わり目となる年齢をそれぞれ表示したＣＴＤＩｖｏｌのスケール６２１およびＤＬＰの線量スケール６２２をそれぞれ出力し、それらのスケールの上に重ねるように、被ばく線量の大きさをしめすＣＴＤＩｖｏｌの線量メーター６１１およびＤＬＰの線量メーター６１２をそれぞれ出力する。
【００８０】
これにより、設定している撮影条件による被ばく線量が何歳の被検体に適しているのかを直感的に把握することができるようになる。たとえば、同図（ａ）の例では、入力された撮影条件による被ばく線量が、１歳より大きく、かつ５歳未満の被検体に適したものであることがわかる。
【００８１】
上述してきたように、本実施例３では、撮影計画支援装置２００が、撮影条件が設定される際に、その撮影条件でＸ線が照射された場合の被ばく線量を出力するとともに、リファレンス線量記憶部２０３により記憶されているリファレンス線量情報を参照して、被ばく線量に対応する年齢の情報を出力するので、エキスパート作成時に、操作者に対して、設定されている撮影条件に適する被検体の属性情報を参考情報として提供することが可能になる。
【００８２】
なお、ここでは、被検体の属性情報として、年齢をガイド画面６００に表示した場合について説明したが、リファレンス線量記憶部２０３により記憶されているリファレンス線量情報に含まれている属性情報であれば、年齢以外の他の属性情報でもよく、たとえば、体重であってもよいし、身長であってもよい。
【００８３】
また、たとえば、検査部位に応じて被検体に照射されるＸ線の線量が自動的に調整される被ばく低減機能が用いられるような場合には、実際の被ばく線量がわからないため、ガイド画面６００には棒グラフを表示せずに、同図（ｂ）に示すように、ＣＴ−ＡＥＣ（CT Auto Exposure Control；ＣＴ用自動露出機構）が使用中であることを示すメッセージを表示する。なお、この場合には、設定ＳＤによる理想状態での線量を算出して表示するようにしてもよい。
【００８４】
また、上記実施例１、２および３では、ＩＣＲＰやＩＥＣ、他の主だった学会などにより推奨された被ばく線量の基準値を用いて、撮影時の被ばく線量をチェックする場合について説明したが、本発明はこれに限られるわけではなく、この基準値に加えて、たとえば、皮膚が焦げる限界の線量や、髪が抜ける限界の線量など、他の基準となる線量を用いてもよい。さらには、それぞれの基準値を用いて被ばく線量を段階的にチェックすることによって、操作者に対して、レベルに応じて段階的に警告を通知するようにしてもよい。
【産業上の利用可能性】
【００８５】
以上のように、本発明に係るＸ線ＣＴ装置、撮影計画支援装置および撮影計画支援プログラムは、小児のように放射線に対して感受性が高い患者を撮影する場合に有用であり、特に、１回の撮影で複数部位を撮影するような場合に適している。
【図面の簡単な説明】
【００８６】
【図１】本実施例１に係るＸ線ＣＴ装置の構成を示す機能ブロック図である。
【図２】リファレンス線量記憶部により記憶されるリファレンス線量情報の一例を示す図である。
【図３】撮影計画設定画面制御部により表示される撮影計画設定画面の一例を示す図である。
【図４】本実施例１に係るワーニングメッセージ出力処理部により表示されるワーニングメッセージの一例を示す図である。
【図５】本実施例１に係るＸ線ＣＴ装置の処理手順を示すフローチャートである。
【図６】撮影計画設定画面に配置される線量表示ボタンの一例を示す図である。
【図７】本実施例２に係るワーニングメッセージ出力処理部により表示されるワーニングメッセージの一例を示す図である。
【図８】被ばく線量がリファレンス線量を超えている場合のワーニングメッセージの一例を示す図である。
【図９】エキスパートプラン作成時に表示されるガイド画面の一例を示す図である。
【符号の説明】
【００８７】
１００    ガントリ
１０１    Ｘ線管
１０２    スリップリング
１０３    Ｘ線検出器
１０４    フレーム
１０５    回転部
１０６    データ収集回路
１０７    非接触データ伝送装置
１１０    高電圧発生装置
１２０    前処理装置
１３０    再構成装置
１４０    記憶装置
１５０    システムコントローラ
１６０    入力装置
１７０    表示装置
２００    撮影計画支援装置
２０１    撮影計画情報記憶部
２０２    撮影計画実行処理部
２０３    リファレンス線量記憶部
２０４    撮影計画設定画面制御部
２０５    ワーニングメッセージ出力処理部
３００    撮影計画設定画面
３１０    スキャンシーケンスエリア
３２０    線量表示ボタン
４００    ワーニングメッセージ
４１１，４１２，４１３，４１３ａ    棒グラフ
４２１，４２２，４２３    被ばく線量の指標値
４３１    撮影条件見直しボタン
４３２    アクセプトボタン
５００    ワーニングメッセージ
５１１，５１２，５１３，５１３ａ    棒グラフ
５２１，５２２，５２３    被ばく線量の指標値
５４１，５４２    リファレンス線量
５５１，５５２    ファントムでの線量
５６０    撮影履歴情報
５７０    Ｑｕｉｔボタン
５８０    リファレンス線量ラベル
６００    ガイド画面
６１１，６１２    線量メーター
６２１，６２２    スケール
【図１】
0005065822.tif 000002
【図２】
0005065822.tif 000003
【図３】
0005065822.tif 000004
【図４】
0005065822.tif 000005
【図５】
0005065822.tif 000006
【図６】
0005065822.tif 000007
【図７】
0005065822.tif 000008
【図８】
0005065822.tif 000009
【図９】
0005065822.tif 000010